【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
第１のパネル（２０）を含む複数のパネルを備えるカートンであって、該第１のパネル（２０）は、第２のパネル（１６）と第３のパネル（２４）との間に配置されており、該カートンは、
該第１のパネル（２０）に折り曲げ可能に接続される少なくとも一つの第１の終端フラップ（３６）と、該第２のパネル（１６）に折り曲げ可能に接続される少なくとも一つの第２の終端フラップ（４０）と、該第３のパネル（２４）に折り曲げ可能に接続される少なくとも一つの第３の終端フラップ（３２）とを備え、
該第１の終端フラップ（３６）はハンドル開口部を少なくとも部分的に画定しており、
該第２の終端フラップ（４０）は、第２の終端フラップ切り取り線（１０４、１０６、１０８、１１０）によって分離される第２の終端フラップ強化パネル（４５）と第２の終端フラップ残部を含み、
該第３の終端フラップ（３２）は、第３の終端フラップ切り取り線（１１４、１１６、１１８、１２０）によって分離される第３の終端フラップ強化パネル（３５）と第３の終端フラップ残部を含み、
カートンを形成する際に、該第２の終端フラップ強化パネル（４５）および該第３の終端フラップ強化パネル（３５）は、該第２の終端フラップ切り取り線（１０４、１０６、１０８、１１０）および該第３の終端フラップ切り取り線（１１４、１１６、１１８、１２０）にそれぞれ沿って分離され、且つ該第１の終端フラップ（３６）の少なくとも一部に重なり合う関係で折り畳まれ、
該第２の終端フラップ強化パネル（４５）および該第３の終端フラップ強化パネル（３５）は該ハンドル開口部に近接している、カートン。
【請求項２】
前記ハンドル開口部を閉鎖するための閉鎖フラップ（３８）をさらに備える、請求項１に記載のカートン。
【請求項３】
前記第２の終端フラップ強化パネル（４５）および前記第３の終端フラップ強化パネル（３５）の縁部は、前記ハンドル開口部の縁部の少なくとも一部に沿って延在し、それと類似した形状とされている、請求項１に記載のカートン。
【請求項４】
前記第１の終端フラップ（３６）は、前記ハンドル開口部と隣接したハンドルパネル（３３）を備え、
前記第２の終端フラップ強化パネル（４５）は、前記ハンドルパネル（３３）の少なくとも一部と重なり合う関係にあり、前記第３の終端フラップ強化パネル（３５）は、前記ハンドルパネル（３３）の少なくとも一部と重なり合う関係にある、請求項１に記載のカートン。
【請求項５】
前記第１の終端フラップ（３６）は、第１の終端フラップ折り目（１１２）に沿って接続されているハンドルパネル（３３）と中間パネル（３７）とを備えており、前記中間パネル（３７）は前記第１のパネル（２０）と前記ハンドルパネル（３３）との間に配置されている、請求項４に記載のカートン。
【請求項６】
前記第１のパネル（２０）は、ボトムパネルであり、
前記第１の終端フラップ（３６）は、ボトム終端フラップである、請求項４に記載のカートン。
【請求項７】
前記ボトム終端フラップ（３６）は、第１の終端フラップ折り目（１１２）に沿って接続されているハンドルパネル（３３）と中間パネル（３７）とを備えており、前記中間パネル（３７）は前記ボトムパネル（２０）と前記ハンドルパネル（３３）の間に配置されている、請求項６に記載のカートン。
【請求項８】
前記中間パネル（３７）と前記第２の終端フラップ（４０）との間に第１の接続があり、
前記第２の終端フラップ強化パネル（４５）と前記第２の終端フラップ（４０）との間に第２の接続があり、
前記第１の接続は、前記第２の接続よりも強固である、請求項５に記載のカートン。
【請求項９】
開口部が前記第２の終端フラップ（４０）に画定され、前記開口部は前記第２の終端フラップ（４０）から突き出された前記第２の終端フラップ強化パネル（４５）に少なくとも部分的に起因している、請求項５に記載のカートン。
【請求項１０】
第１のパネル（２０）を含む複数のパネルを備えるブランクであって、該第１のパネル（２０）は、第２のパネル（１６）と第３のパネル（２４）の間に配置されており、該ブランクは、
該第１のパネル（２０）に折り曲げ可能に接続される第１の終端フラップ（３６）と、該第２のパネル（１６）に折り曲げ可能に接続される第２の終端フラップ（４０）と、該第３のパネル（２４）に折り曲げ可能に接続される第３の終端フラップ（３２）とを備え、
該第１の終端フラップ（３６）はハンドル開口部を少なくとも部分的に画定しており、
該第２の終端フラップ（４０）は第１の終端フラップ（３６）に折り畳み可能に接続される第２の終端フラップ強化パネル（４５）と第２の終端フラップ切り取り線（１０４、１０６、１０８、１１０）によって分離される第２の終端フラップ残部を含み、
該第３の終端フラップ（３２）は第３の終端フラップ切り取り線（１１４、１１６、１１８、１２０）によって分離される第３の終端フラップ強化パネル（３５）と第３の終端フラップ残部を含む、ブランク。
【請求項１１】
前記第１の終端フラップ（３６）において、ハンドル部分（３３）と中間部分（３７）の間に配置される第１のハンドル開口部を備える、請求項１０に記載のブランク。
【請求項１２】
ブランクから構造体を形成する方法であって、該方法は、
ブランクを設けるステップを含み、
該ブランクは、第１のパネル（２０）を含む複数のパネルを有し、該第１のパネル（２０）は、第２のパネル（１６）と第３のパネル（２４）の間に配置され、第１の終端フラップ（３６）が該第１のパネル（２０）に折り曲げ可能に接続され、第２の終端フラップ（４０）が該第２のパネル（１６）に折り曲げ可能に接続され、該第１の終端フラップ（３６）はハンドル開口部を部分的に画定しており、第３の終端フラップ（３２）が該第３のパネル（２４）に折り曲げ可能に接続され、該第２の終端フラップ（４０）は第２の終端フラップ強化パネル（４５）と第２の終端フラップ切り取り線（１０４、１０６、１０８、１１０）によって分離される第２の終端フラップ残部を含み、該第３の終端フラップ（３２）は第３の終端フラップ強化パネル（３５）と第３の終端フラップ切り取り線（１１４、１１６、１１８、１２０）によって分離される第３の終端フラップ残部を含んでおり、且つ
当該方法は、該第２の終端フラップ強化パネル（４５）を該第１の終端フラップ（３６）の上に重ねて接着し、かつ、該第３の終端フラップ強化パネル（３５）を該第１の終端フラップ（３６）の上に重ね合わせることによって、強化ハンドルを形成するステップを含み、該第２の終端フラップ強化パネル（４５）および該第３の終端フラップ強化パネル（３５）は、第１のハンドル開口部の上方の前記第１の終端フラップ（３６）の隣接する上部部分を強化し、且つ前記第１のハンドル開口部の下方の前記第１の終端フラップ（３６）の部分は強化しない、方法。
【請求項１３】
前記構造体から前記強化ハンドルを分離するステップをさらに含む、請求項１２に記載の方法。
【請求項１４】
前記分離するステップにおいて、第１および第２の接着位置（３４、４２）において前記強化ハンドルを分離する、請求項１３に記載の方法。
【請求項１５】
少なくとも前記強化ハンドルによって前記構造体を持ち上げるステップをさらに含む、請求項１２に記載の方法。
【請求項１６】
分離の際に、前記第１および第２の接着位置（３４、４２）は前記第２の終端フラップ強化パネル（４５）および前記第３の終端フラップ強化パネル（３５）の部分を引き離す、請求項１４に記載の方法。